(57)【要約】      （修正有）【課題】椅子やテーブル等の脚カバーを提供する。【解決手段】椅子やテーブル等の脚カバー１であって、上下が開口された筒状の内側脚カバー２と、該内側脚カバー２の外側に配された上が開口され下の底が塞がれた外側脚カバー３とから成り、内側脚カバー２の下端２ａが外側脚カバー３の底３ａより上方に位置する状態で固着させた。【選択図】図１
0003228191.tif 000002
【実用新案登録請求の範囲】
【請求項１】
椅子やテーブル等の脚カバーであって、上下が開口された筒状の内側脚カバーと、該内側脚カバーの外側に配された上が開口され下の底が塞がれた外側脚カバーとから成り、前記内側脚カバーの下端が前記外側脚カバーの底より上方に位置する状態で固着させたことを特徴とする。
【考案の詳細な説明】
【考案の詳細な説明】
【技術分野】
【０００１】    本考案は、椅子やテーブル等の脚カバーに関するものである。
【背景技術】
【０００２】    従来、椅子等の脚の底を包み込む袋状の簡易型の脚カバーは、椅子等が動く際に、前記脚カバーの底面と床面との摩擦によってやがて抜けてしまう欠点があった。【０００３】    上記欠点を無くすために、ねじ又はピン、或いは両面接着テープで脚カバーの左右側面を固定するようにしたものがある（下記特許文献１参照）。
さらに、脚カバーの内周面に、所定の間隔をあけて複数のすべり止め部材を点溶着すると共に、脚カバーの内面底部とそれを装着する椅子等の脚の先端面に、互いが係止するようにしたものなどがある（下記特許文献２参照）。
【先行技術文献】
【特許文献】
【０００４】
【特許文献１】特許第４７８２８８５号
【特許文献２】実用新案登録第３１８７２３３号
【考案の概要】
【考案が解決しようとする課題】
【０００５】    従来の椅子やテーブル等の脚カバーは、椅子等が動く際に、前記脚カバーの底面と床面との摩擦によってやがて抜けてしまう欠点があった。
そこで、その欠点を無くすために、上記したとおりの方法で、脚カバーとそれを装着する椅子等の脚とを固定し或いは係止するようにしたものがある。
しかし、これらのものは、構造が複雑になるうえ、着脱が不便であるなどの課題があった。
【課題を解決するための手段】
【０００６】    本考案は、上記課題を解決するために、椅子やテーブル等の脚カバー１であって、上下が開口された筒状の内側脚カバー２と、該内側脚カバー２の外側に配された上が開口され下の底が塞がれた外側脚カバー３とから成り、前記内側脚カバー２の下端２ａが前記外側脚カバー３の底３ａより上方に位置する状態で固着させたことを特徴とする。
なお、脚カバー１は、伸縮性を持たせかつ比較的ゆるめの袋状の簡易型の脚カバーと同様の素材であっても下記考案の効果が発揮されるのでその素材を厳選する必要性が無いうえ、装着する脚の形状に合わせてその形状を選ぶことができ、さらに、内側脚カバー２と外側脚カバー３との固着はそれら両方を縫い合わせあるいは接着しまたは機械縫製などであってもよく、また、固着す位置は外側脚カバー３の上部のみでも問題はなく、それらを特に限定しない。
【考案の効果】
【０００７】    本考案の椅子やテーブル等の脚カバーは、脚カバーとそれを装着する椅子等の脚とを固定し或いは係止するなどを必要としないので、椅子等の脚の底を包み込む袋状の簡易型の脚カバーと同様に安価に制作できる。
さらに、椅子やテーブル等の脚に装着した状態で前記脚を床面をこするように動かしてもその際に外側脚カバー３の底３ａが受ける床面との間に生じる横方向の摩擦による張力に対して内側脚カバー２がストッパーの役目をするので前記脚から抜けないようになる。
また、それであるのに構造が複雑にならないうえ簡易型の脚カバーと全く同じ感覚で着脱が容易にでき洗濯などをも容易にする。
【図面の簡単な説明】
【０００８】
【図１】  本考案の脚カバー１の断面図である。
【符号の説明】１    脚カバー
２    内側脚カバー
２ａ  内側脚カバー２の下端
３    外側脚カバー
３ａ  外側脚カバー３の底
【図１】
0003228191.tif 000003
【手続補正書】
【提出日】令和2年4月2日(2020.4.2)
【手続補正１】
【補正対象書類名】実用新案登録請求の範囲
【補正対象項目名】請求項１
【補正方法】変更
【補正の内容】
【請求項１】
椅子やテーブル等の脚カバーであって、上下が開口された筒状或いは帯状等の内側脚カバーと該内側脚カバーの外側に配された上が開口され下の底が塞がれた外側脚カバーとから成り前記内側脚カバーの下端が前記外側脚カバーの底の上に位置し、又は、上が開口され下の底が塞がれた内側脚カバーと該内側脚カバーの外側に配された上下が開口された筒状或いは帯状等の外側脚カバーとから成り前記外側脚カバーの下端が前記内側脚カバーの底の上に位置する状態で固着させたことを特徴とする。
【手続補正２】
【補正対象書類名】明細書
【補正対象項目名】０００６
【補正方法】変更
【補正の内容】
【０００６】    本考案は、上記課題を解決するために、椅子やテーブル等の脚カバー１であって、上下が開口された筒状或いは帯状等の内側脚カバー２と、該内側脚カバー２の外側に配された上が開口され下の底が塞がれた外側脚カバー３とから成り、前記内側脚カバー２の下端２ａが前記外側脚カバー３の底３ａの上に位置する状態で固着させたことを特徴とする。
なお、脚カバー１は、伸縮性を持たせかつ比較的ゆるめの袋状の簡易型の脚カバーと同様の素材であっても下記考案の効果が発揮されるのでその素材及び形状を自由に選ぶことができ、さらに、内側脚カバー２と外側脚カバー３との固着はそれら両方を縫い合わせあるいは接着しまたは機械縫製などであってもよく、また、固着す位置を特に限定しない。
また、内側脚カバー２は、例えば、外側脚カバー３の長さより短い幅の帯状のものであってもよく、さらには布製ではない椅子やテーブル等の脚の形状に合わせた円柱形或いは四角柱形に形成したプラスチック板などであってもよく、また、該プラスチック板の繋ぎ目を開け或いは蛇腹機能を持たせて、又は、コの字型に形成し或いは長方形又は正方形等に形成したプラスチック板を椅子やテーブル等の脚に併せて配し或いは各側面に配するなどして、伸縮性を持った外側脚カバー３に固着して横幅方向に伸縮性を持たせて椅子やテーブル等の脚への着脱を容易にするようにするとよい。
また、内側脚カバー２と外側脚カバー３との形状を逆にして、即ち、内側脚カバー２は上が開口され下の底が塞がれ、さらに、該内側脚カバー２の外側に配された外側脚カバー３は上下が開口された筒状或いは帯状等のものであってもよく、この場合の外側脚カバー３はその下端が内側脚カバー２の底の上に位置する状態で固着させる他は上述した内側脚カバー２の実施例を準用するものとする。
【手続補正書】
【提出日】令和2年6月17日(2020.6.17)
【手続補正１】
【補正対象書類名】実用新案登録請求の範囲
【補正対象項目名】全文
【補正方法】変更
【補正の内容】
【実用新案登録請求の範囲】
【請求項１】
椅子やテーブル等の脚カバーであって、上下が開口された筒状或いは帯状の内側脚カバーと該内側脚カバーの外側に配された上が開口され下の底が塞がれた外側脚カバーとから成り前記内側脚カバーの下端が前記外側脚カバーの底の上に位置し、又は、上が開口され下の底が塞がれた内側脚カバーと該内側脚カバーの外側に配された上下が開口された筒状或いは帯状の外側脚カバーとから成り前記外側脚カバーの下端が前記内側脚カバーの底の上に位置する状態で固着させたことを特徴とする脚カバー。
【手続補正書】
【提出日】令和2年7月6日(2020.7.6)
【手続補正１】
【補正対象書類名】実用新案登録請求の範囲
【補正対象項目名】全文
【補正方法】変更
【補正の内容】
【実用新案登録請求の範囲】
【請求項１】
椅子やテーブルの脚カバーであって、上下が開口された筒状或いは帯状の内側脚カバーと該内側脚カバーの外側に配された上が開口され下の底が塞がれた外側脚カバーとから成り前記内側脚カバーの下端が前記外側脚カバーの底の上に位置し、又は、上が開口され下の底が塞がれた内側脚カバーと該内側脚カバーの外側に配された上下が開口された筒状或いは帯状の外側脚カバーとから成り前記外側脚カバーの下端が前記内側脚カバーの底の上に位置する状態で固着させたことを特徴とする脚カバー。
【手続補正２】
【補正対象書類名】明細書
【補正対象項目名】０００６
【補正方法】変更
【補正の内容】
【０００６】    本考案は、上記課題を解決するために、椅子やテーブルの脚カバー１であって、上下が開口された筒状或いは帯状の内側脚カバー２と、該内側脚カバー２の外側に配された上が開口され下の底が塞がれた外側脚カバー３とから成り、前記内側脚カバー２の下端２ａが前記外側脚カバー３の底３ａの上に位置する状態で固着させたことを特徴とする。
なお、脚カバー１は、伸縮性を持たせかつ比較的ゆるめの袋状の簡易型の脚カバーと同様の素材であっても下記考案の効果が発揮されるのでその素材及び形状を自由に選ぶことができ、さらに、内側脚カバー２と外側脚カバー３との固着はそれら両方を縫い合わせあるいは接着しまたは機械縫製などであってもよく、また、固着す位置を特に限定しない。
また、内側脚カバー２は、例えば、外側脚カバー３の長さより短い幅の帯状のものであってもよく、さらには布製ではない椅子やテーブルの脚の形状に合わせた円柱形或いは四角柱形に形成したプラスチック板などであってもよく、また、該プラスチック板の繋ぎ目を開け或いは蛇腹機能を持たせて、又は、コの字型に形成し或いは長方形又は正方形等に形成したプラスチック板を椅子やテーブル等の脚に併せて配し或いは各側面に配するなどして、伸縮性を持った外側脚カバー３に固着して横幅方向に伸縮性を持たせて椅子やテーブル等の脚への着脱を容易にするようにするとよい。
また、内側脚カバー２と外側脚カバー３との形状を逆にして、即ち、内側脚カバー２は上が開口され下の底が塞がれ、さらに、該内側脚カバー２の外側に配された外側脚カバー３は上下が開口された筒状或いは帯状のものであってもよく、この場合の外側脚カバー３はその下端が内側脚カバー２の底の上に位置する状態で固着させる他は上述した内側脚カバー２の実施例を準用するものとする。
【手続補正３】
【補正対象書類名】明細書
【補正対象項目名】０００７
【補正方法】変更
【補正の内容】
【０００７】    本考案の椅子やテーブルの脚カバーは、脚カバーとそれを装着する椅子等の脚とを固定し或いは係止するなどを必要としないので、椅子等の脚の底を包み込む袋状の簡易型の脚カバーと同様に安価に制作できる。
さらに、椅子やテーブルの脚に装着した状態で前記脚を床面をこするように動かしてもその際に外側脚カバー３の底３ａが受ける床面との間に生じる横方向の摩擦による張力に対して内側脚カバー２がストッパーの役目をするので前記脚から抜けないようになる。
また、それであるのに構造が複雑にならないうえ従来の簡易型の脚カバーと全く同じ感覚で着脱が容易にでき洗濯などをも容易にする。